(57)【要約】【課題】  センサにより原稿がどこにあるか検知しているシートスルーＡＤＦ制御において、そのセンサの近くにＬＥＤなどの表示器を点滅または点灯させることにより、ユーザに原稿が搬送経路のどの位置にあるかをすぐに認識させ得る画像読み取り装置を提供する。【解決手段】  シートスルーＡＤＦを使用して原稿を読み取る画像読み取り装置において、原稿ジャムが発生したときにジャム発生場所を分かり易くするために前記シートスルーＡＤＦに原稿ジャム発生位置を表示する表示器４４を設け、前記シートスルーＡＤＦの外部からジャム原稿の位置がすぐに把握できるようにする。【選択図】  図４
2005269093.tif 000002
【特許請求の範囲】
【請求項１】
シートスルーＡＤＦを使用して原稿を読み取る画像読み取り装置において、原稿ジャムが発生したときにジャム発生場所を分かり易くするために前記シートスルーＡＤＦに原稿ジャム発生位置を表示する表示器を設け、前記シートスルーＡＤＦの外部からジャム原稿の位置がすぐに把握できるように構成したことを特徴とする画像読み取り装置。
【請求項２】
ジャム解除のさい、原稿を取り出すためにどこのカバーをオープンするか分かるようにカバーオープン表示器を設けて表示させることを特徴とする請求項１記載の画像読み取り装置。
【請求項３】
原稿を取り出すために、どのローラを回せばよいか分かるように表示器を設けて表示できるようにしたことを特徴とする請求項１記載の画像読み取り装置。
【請求項４】
原稿を取り出すために、カバーを開ける順序がある場合、開けるカバーの順番にカバーの表示器を表示させることを特徴とする請求項１または２記載の画像読み取り装置。
【請求項５】
前記ジャム原稿を、カバーを開けて取り出した後、カバーを完全に締め切らない状態になった場合、完全に閉めるまでそのカバーの表示器の表示を継続することを特徴とする請求項１、２、４のいずれか一項記載の画像読み取り装置。
【発明の詳細な説明】
【技術分野】
【０００１】
本発明は、スキャナ、複写機、ファクシミリ、複合機などの画像読み取り装置の改良に関するものである。
【背景技術】
【０００２】
シートスルーＡＤＦにて原稿読み取りを行う場合、給紙中のジャム、読み取り中のジャム、原稿反転中のジャムなどが発生することがあるが、搬送経路が複雑になっており、ユーザがどこに原稿があるかすぐに分かりにくい場合がある。
【発明の開示】
【発明が解決しようとする課題】
【０００３】
かかるジャムが発生した場合、原稿搬送路経路が複雑になっているため、原稿を取り出すのにどこのカバーを開けたらよいか分かりにくくなっている。ジャムで停止した原稿を取り出すとき、原稿にダメージを与えないようにどのローラのどこを回せばよいか分かりにくくなっている。
ジャム処理のために複数のカバーを開ける必要がある場合に、物理的に一つのカバーを開ける前に他のカバーを開ける必要がある構造となっている場合があるが、ユーザにはカバーを開けるのに順番があることは分かりにくい。また、給紙部カバーを開け、原稿を取り出した後、給紙部カバーが完全に閉まっていない場合があるが、ユーザは閉めたつもりになっているので、給紙部カバーが開いていることがすぐに分からない場合がある。
そこで本発明の目的は、センサにより原稿がどこにあるか検知しているシートスルーＡＤＦ制御において、そのセンサの近くに設けたＬＥＤなどの表示器を点滅または点灯させることにより、ユーザに原稿が搬送経路のどの位置にあるかをすぐに認識させ得る画像読み取り装置を提供することにある。
【課題を解決するための手段】
【０００４】
上記の課題を解決するために、請求項１に記載の発明は、シートスルーＡＤＦを使用して原稿を読み取る画像読み取り装置において、原稿ジャムが発生したときにジャム発生場所を分かり易くするために前記シートスルーＡＤＦに原稿ジャム発生位置を表示する表示器を設け、前記シートスルーＡＤＦの外部からジャム原稿の位置がすぐに把握できる画像読み取り装置を特徴とする。
また、請求項２に記載の発明は、ジャム解除のさい、原稿を取り出すためにどこのカバーをオープンするか分かるようにカバーオープン表示器を設けて表示させる請求項１記載の画像読み取り装置を特徴とする。
また、請求項３に記載の発明は、原稿を取り出すために、どのローラを回せばよいか分かるように表示器を設けて表示できるようにした請求項１記載の画像読み取り装置を特徴とする。
また、請求項４に記載の発明は、原稿を取り出すために、カバーを開ける順序がある場合、開けるカバーの順番にカバーのＬＥＤを点滅させる請求項１または２記載の画像読み取り装置を特徴とする。
また、請求項５に記載の発明は、前記ジャム原稿を、カバーを開けて取り出した後、カバーを完全に締め切らない状態になった場合、完全に閉めるまでそのカバーのＬＥＤの点滅を継続する請求項１、２、４のいずれか一項記載の画像読み取り装置を特徴とする。
【発明の効果】
【０００５】
本発明によれば、シートスルーＡＤＦ制御では、センサにより原稿がどこにあるか検知しており、そのセンサ近くの外部適所に配置したＬＥＤなどの表示器を点滅または点灯させることにより、ユーザは原稿が搬送経路のどの位置にあるかすぐに認識することが可能となる。
【発明を実施するための最良の形態】
【０００６】
以下、図面を参照して、本発明の実施の形態を詳細に説明する。図１は本発明に係る画像読み取り装置を示す全体構成図である。まず、本発明の構成動作を説明する。
原稿台ガラス１上に置かれる原稿（図示せず）は、第１ミラー２と一体に構成された照明ランプ３により照射され、その反射光は、第１ミラー２および一体に構成された第２ミラー４、第３ミラー５で走査される。
その後反射光は、レンズ３１により集束され、ＣＣＤ６に照射され光電変換される。第１ミラー２、照明ランプ３および第２ミラー４、第３ミラー５は、走行体モータ７を駆動源として、Ａ方向に移動可能となっている。
原稿トレイ８に積載された原稿は、ピックアップローラ９、レジストローラ対１０、搬送ドラム１１、搬送ローラ１２により読み取り位置Ｂを経て、搬送ローラ対１３および排紙ローラ対１４へ送り込まれ、排紙トレイ３２上に排出される。
原稿は、読み取り位置Ｂを通過するさいに、読み取り位置Ｂ近傍に移動されている照明ランプ３により照射され、その反射光は、第１ミラー２および一体に構成された第２ミラー４、第３ミラー５で走査される。その後反射光は、レンズ３１により集束され、ＣＣＤ６に照射され光電変換される。
ピックアップローラ９、レジストローラ対１０は、給紙モータ（図示せず）により駆動され、搬送ドラム１１、搬送ローラ１２、搬送ローラ対１３、排紙ローラ対１４は、搬送モータ（図示せず）により駆動される。
読み取り位置Ｃには密着イメージセンサ１５が設置されている。密着イメージセンサ１５は、光源であるＬＥＤ（図示せず）、レンズ（図示せず）、センサ素子（図示せず）で構成されている。
原稿は、読み取り位置Ｃを通過するさいに、読み取り位置Ｂで読み取られた反対の面（裏面）を読み取り位置Ｃに設置されている密着イメージセンサ１５内のランプにより照射される。
その反射光は密着イメージセンサ１５上のレンズにより集束され、密着イメージセンサ１５上のセンサ素子が照射され光電変換される。密着イメージセンサ１５の原稿を挟んだ対向部には白色ローラ１７が設置されていて、密着イメージセンサ１５による読み取り時のシェーディング補正用白色部材として使用される。
搬送ローラ対１３と排紙ローラ対１４の間には、エンドーサユニット１８とエンドーサプラテン１９が設置されている。エンドーサユニット１８はインクを染み込ませたアルファベット文字と数字の印からなる印字部と、印字部をエンドーサプラテン方向に加圧する加圧ソレノイド（図示せず）から構成されている。
原稿をエンドーサユニット１８上に停止させ、エンドーサプラテン１９で加圧方向に固定し、エンドーサユニット１８の印字部への加圧により原稿面にアルファベット文字や数字を印字することができる。
【０００７】
図２は本発明に係る画像読み取り装置を示す全体ブロック図である。図２において、ＳＢＵ２０上のＣＣＤ６に入光した原稿の反射光は、ＣＣＤ６内で光の強度に応じた電圧値を持つアナログ信号に変換される。アナログ信号は、奇数ビットと偶数ビットに分かれて出力される。
アナログ画像信号は、ＳＢＵ２０上のアナログ処理回路（図示せず）により暗電位部分が取り除かれ、奇数ビットと偶数ビットが合成され、所定の振幅にゲイン調整された後にＡ／Ｄコンバータに入力されデジタル信号化される。
デジタル化された画像信号は、ＳＣＵ２１上のＮＩＰＵ３３で、シェーディング補正、ガンマ補正、ＭＴＦ補正等が行なわれた後、２値化され、ページ同期信号、ライン同期信号、画像クロックとともにビデオ信号として出力される。
ＮＩＰＵ３３から出力されたビデオ信号は、コネクタ３４を介してオプションＩＰＵ２６へ出力されている。オプションＩＰＵ２６へ出力されたビデオ信号は、オプションＩＰＵ２６内で所定の画像処理が行なわれ、再びＳＣＵ２１へ入力される。
再びＳＣＵ２１へ入力されたビデオ信号は、セレクタ（図示せず）に入力される。前記セレクタのもう一方の入力はＮＩＰＵ３３から出力されたビデオ信号となっていて、オプションＩＰＵ２６で画像処理するか否かを選択できる構成となっている。
前記セレクタから出力されたビデオ信号は、画像データ記憶手段（ＤＲＡＭ）を管理するＳｉＢＣ３５に入力され、ＤＲＡＭで構成される画像メモリに蓄えられる。画像メモリに蓄えられた画像データは、ＳＣＳＩコントローラ３６に送られ、パソコン等の外部装置へ転送される。
また、ＳＣＵ２１上には拡張スロット（図示せず）が用意され、ＳｉＢＣ３５によって制御される画像データは拡張スロット（図示せず）を介して接続される拡張インターフェースユニットに転送され、所定のインターフェース手段により外部装置に転送できる構成を採る。
【０００８】
図２においては一例として拡張スロット（図示せず）に接続されるユニットにネットワークコントローラ２７を挙げており、図２の構成によれば、ネットワークコントローラ２７を介して本画像読み取り装置をネットワーク環境下で使用することが可能となる。
またこのとき、ネットワーク対応としてネットワーク操作パネル２９を本画像読み取り装置に接続し、ネットワーク操作パネル２９から本画像読み取り装置の操作を行うことが可能となる。
密着イメージセンサ１５で光電変換されたアナログ画像信号は、ＲＳＢＵ１６上でデジタル変換される。デジタル化された画像信号は、ＲＳＢＵ１６上でシェーディング補正が施された後に、ＲＣＵ２３へ送られる。
ＲＣＵ２３は、 ＤＲＡＭで構成される画像メモリと画像データメモリを制御するＳｉＢＣで構成され、画像データをいったん画像メモリに蓄積した後にＳＣＵ２１へ転送する。ＲＣＵ２３からＳＣＵ２１へ送られた画像データと、ＳＣＵ２１上のＳｉＢＣ３５から出力される画像データは切り換え可能となっており、いずれかの画像データを選択してＳＣＳＩコントローラ３６へ転送される。
ＳＣＵ２１上には、ＣＰＵ３７、ＲＯＭ３８、ＲＡＭ３９が実装されており、ＣＰＵ３７は、ＳＣＳＩコントローラ３６を制御してパソコン等の外部装置との通信を行なう。また、ＣＰＵ３７は、ステッピングモータである走行体モータ７、給紙モータ、搬送モータのタイミング制御も行なっている。
ＡＤＵ３０は、自動原稿搬送機構（ＡＤＦ）部に用いる電装部品の電力供給を中継する機能を有している。
ＳＣＵ２１上のＣＰＵ３７に接続されている入力ポートは、ＩＯＢ２４を介して本体操作パネル２８に接続されている。本体操作パネル２８上にはスタートスイッチ（図示せず）とアボートスイッチ（図示せず）が実装されている。それぞれのスイッチが押下されると入力ポートを介してＣＰＵ３７はスイッチがオンされたことを検出する。
また、本体操作パネル２８上にはＬＥＤ（図示せず）が用意され、本画像読み取り装置のステータス、例えば画像データ転送中や本体エラー発生などの表示を行う。
【０００９】
図３は図１の本発明に係る画像読み取り装置の輪郭を示す概略図である。図４は図３の画像読み取り装置の輪郭に対する給紙部カバー４１、反転部４２、給紙部ＬＥＤ（表示器）４３、給紙部カバーＬＥＤ（カバーオープン表示器）４４、反転部ＬＥＤ（表示器）４５、給紙トレイＬＥＤ（表示器）４６の配置を示す概略図である。
図４に示すように、画像読み取り装置は、矢印方向に開閉する給紙部カバー４１、反転時に原稿の端部を機外に露出させるトレイ状の反転部４２、給紙部において発生したジャム発生位置を表示するための給紙部ＬＥＤ４３、給紙部カバーを開放すべきことを支持する給紙部カバーＬＥＤ４４、反転部で発生したジャム位置を表示するための反転部ＬＥＤ４５、給紙トレイ８を持ち上げるべきことを表示する給紙トレイＬＥＤ４６を備えている。
給紙中に原稿が給紙部内でミスフィードした場合、給紙部ＬＥＤ４３が点滅し、そこに原稿があることをユーザに知らせることができる。その際、開放すべきカバーを示すために、給紙部カバーＬＥＤ４４が点灯（点滅）する。また、この際、給紙部カバー４１のみならず、給紙トレイ８を持ち上げる必要がある場合には、給紙トレイＬＥＤ４６を点灯（点滅）させる。給紙カバー４１の開放と、給紙トレイ８の持ち上げ操作に順序がある場合には、先に操作する方のＬＥＤを点灯（点滅）させ、先の操作完了後に次のＬＥＤを点灯させる。
また、両面読み取り時、表面読み取り後裏面読み取りのために反転給紙動作に移行し、反転部にてジャムになった場合、給紙トレイ８上に設けた反転部ＬＥＤ４５を点滅させ、反転部４２に原稿があることをユーザに知らせることにより、原稿ジャムのリカバリの操作が簡単になる。この際、給紙トレイＬＥＤ４６を点灯（点滅）させることにより、給紙トレイ４６を持ち上げることによって反転部のジャム処理が可能となることを報知する。この際、給紙カバー４１の開放が必要な場合には、給紙部カバーＬＥＤ４４の点灯を併用して操作順序を示す。
読み取り中にジャムになった場合、給紙部からの原稿取り出しが難しく、給紙ローラを回転させるノブ部を回す必要が生じることがある。その場合、ノブ部ＬＥＤ（図示せず）を点滅させ、そのノブを回す必要があることを知らせる。
【００１０】
次に、反転部にカバーを備えた読み取り装置において、反転部４２で原稿がジャムとなった場合、シートスルーＡＤＦの構成上、反転部カバーを開ける前に、給紙部カバー４１を開ける必要があるが、その場合、先に給紙部カバーＬＥＤ４４を点滅させ、給紙部カバー４１が開放された場合に、反転部ＬＥＤ４５を点滅させるようにして、カバーを開ける順番をユーザが知らなくてもジャムした原稿を取り出すことができる。
また、給紙部の原稿ジャムが発生し、給紙部カバー４１を開け、原稿を取り出した後、この給紙部カバー４１を閉めるがこれが完全に閉まっていない場合、その給紙部ＬＥＤ４３（或いは、給紙部カバーＬＥＤ４４）の点滅を継続する。そのことにより、ユーザに給紙部カバー４１が閉まっていないことを知らせる。
シートスルーＡＤＦの搬送経路内で停止した原稿を取り出すのに、原稿が停止した位置により、どのカバーを開けたらよいか分かるように給紙カバーなどにＬＥＤなどの表示器を点灯または点滅させることにより、ユーザが迅速に原稿ジャムのリカバリができるようになる。
ジャムで停止した原稿を取り出すとき、ローラに挟まっている原稿を取り出すのにどこを回せば原稿が取り出せるか分かるように、回す部分にＬＥＤなどの表示器を設け、表示器を点灯または点滅することにより、どこを回せばよいか促すことが可能となる。
両面読み取りにおいて裏面読み取りのために反転部への給紙中に原稿ジャムになった場合、機械的レイアウトの関係上、反転部カバーを開ける前に、給紙部カバーを開ける必要がある場合でも、カバーのＬＥＤにより先に開ける必要がある給紙カバーのＬＥＤを点滅させ、カバーを開けることを知らせる。
次に、反転部カバーを点滅させ、反転部カバーを開けることを知らせ、ジャムした原稿を取り出すことが可能になるが、ユーザはカバーを開ける順番を知らなくてもジャムした原稿を取り出すことが可能となる。
給紙部でジャムになった原稿を、給紙部カバーを開け、取り出した後、給紙部カバーを閉めるが完全に閉まっていない場合、給紙部ＬＥＤの点滅を継続させることにより、ユーザにまだ給紙部カバーが閉まっていないこと知らせることが可能となる。
【図面の簡単な説明】
【００１１】
【図１】本発明に係る画像読み取り装置を示す全体構成図である。
【図２】本発明に係る画像読み取り装置を示す全体ブロック図である。
【図３】図１の本発明に係る画像読み取り装置の輪郭を示す概略図である。
【図４】図３の画像読み取り装置の輪郭に対する給紙部カバー、反転部カバー、給紙部ＬＥＤ、反転部ＬＥＤ等の配置を示す概略図である。
【符号の説明】
【００１２】
１２  ローラ（搬送ローラ）
１３  ローラ（搬送ローラ対）
１４  ローラ（搬送ローラ）
４１  カバー（給紙部カバー）
４２  カバー（反転部カバー）
４３  表示器（給紙部ＬＥＤ）
４４  表示器（反転部ＬＥＤ）
４５  カバーオープン表示器（給紙部カバーＬＥＤ）
４６  カバーオープン表示器（反転部カバーＬＥＤ）
【図１】
2005269093.tif 000003
【図２】
2005269093.tif 000004
【図３】
2005269093.tif 000005
【図４】
2005269093.tif 000006